【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
ネットワーク上でクライアントが共有するファイルセットから構成される名前空間に関する情報を維持する方法であって、
少なくとも１つのゾーンに関するゾーン情報を維持するステップであって、各ゾーンが少なくとも１つのクライアントと前記名前空間の少なくとも１つのファイルセットと少なくとも１つの記憶プールとに対応付けられ、各ゾーンに関して、対応付けした少なくとも１つのファイルセットと少なくとも１つの記憶プールが前記ゾーンに対応付けられた少なくとも１つのクライアントからアクセス可能である、前記維持するステップと、
前記名前空間のクライアントからアクセス可能なファイルセットについて１つのクライアントから要求を受け取るステップと、
少なくとも１つのファイルセットと少なくとも１つの記憶プールとが対応付けられてる少なくとも１つのゾーンにおけるゾーン情報から、要求するクライアントを判定するステップと、
クライアントに対応付けられているものと判定された少なくとも１つのゾーンに指示される前記少なくとも１つのファイルセットに関する情報を、要求するクライアントに提供するステップと、
条件と条件が満たされる場合にファイルを格納する記憶プールを識別する１つのルールを受け取るステップと、
受け取ったルールに識別される記憶プールが複数のゾーンに含まれるかどうかを判定するステップと、
条件に規定されるファイルセットが受け取ったルールに識別される記憶プールを含む１つのゾーンに含まれていないという判定に応答して、受け取ったルールを拒絶するステップとを有する
前記方法。
【請求項２】
複数のゾーンに対応付けられる１つのクライアントが、対応付けられたゾーンにあるファイルセットと記憶プールにアクセスできる、請求項１の方法。
【請求項３】
各クライアントが行う操作が、クライアントを含む少なくとも１つのゾーンにあるファイルセットと記憶プールに関するものに制限される、請求項１の方法。
【請求項４】
ルール条件が少なくとも１つのクライアントを指示する方法であって、
ルール条件に指示される少なくとも１つのクライアントが判定した複数のゾーンに含まれるかどうかを判定するステップと、
少なくとも１つのクライアントが判定した複数のゾーンのひとつに含まれていないという判定に応答して、受け取ったルールを拒絶するステップとをさらに有する、請求項１の方法。
【請求項５】
条件がファイルセット、ファイルクラス、又はクライアントのうちの少なくとも１つを指示し、ファイル作成の要求が条件を満たす場合に条件が満たされる、請求項１の方法。
【請求項６】
サービスクラスがサービスレベルを記憶プールとゾーンに対応付けし、複数の記憶プールとゾーンを１つのサービスレベルに対応付けできる、請求項１の方法。
【請求項７】
１つのクライアントからのファイルを作成する要求を受け取るステップと、受け取った要求に適用できる１つのサービスクラスを規定するルールを判定するステップと、出された要求に適用されるゾーンにある規定のサービスクラスに含まれる少なくとも１つの記憶プールを判定するステップと、判定した少なくとも１つの記憶プールの領域に要求されるファイルを作成するステップとをさらに有する、請求項６の方法。
【請求項８】
ゾーン情報をクライアントと通信接続しているメタデータサーバで維持し、メタデータサーバがクライアントからアクセスできる名前空間に含まれるファイルセットに関する情報をクライアントに提供する方法であって、メタデータサーバが、１つのクライアントからのファイル作成要求を受け取るステップと、１つのルールがファイルを作成する少なくとも１つの記憶プールを指示するファイル作成要求に適用するかどうかを判定するステップと、１つのルールを適用するという判定に応答して、ルールに指示される少なくとも１つの記憶プールにある位置にファイルを作成するステップとをさらに行う、請求項１の方法。
【請求項９】
少なくとも１つの記憶プールが少なくとも１つの記憶装置を有し、各記憶装置が１つの記憶プールに含まれるように制限される、請求項１の方法。
【請求項１０】
ゾーン情報を使って、クライアントの検出中に記憶プールへのクライアントの接続性を検証し、クライアントは、クライアントが検出を行ったクライアントを含むゾーンにある記憶プールのみにアクセスできる、請求項１の方法。
【請求項１１】
ネットワークでクライアントおよび記憶プールと通信接続しているシステムであって、
少なくとも１つのゾーンに関するゾーン情報を格納するコンピュータ読取可能媒体であって、各ゾーンが少なくとも１つのクライアントと名前空間の複数のファイルセットの少なくとも１つのファイルセットと少なくとも１つの記憶プールとに対応付けされ、各ゾーンに関して、対応付けられた少なくとも１つのファイルセットと少なくとも１つの記憶プールが前記ゾーンに対応付けられた少なくとも１つのクライアントシステムからアクセスできる、前記コンピュータ読取可能媒体と、
複数のオペレーションを実行するプログラムであって、
前記名前空間のクライアントからアクセス可能なファイルセットについて１つのクライアントから要求を受け取るステップと、
少なくとも１つのファイルセットと少なくとも１つの記憶プールとが対応付けられてる少なくとも１つのゾーンにおけるゾーン情報から、要求するクライアントを判定するステップと、
クライアントに対応付けられているものと判定された少なくとも１つのゾーンに指示される前記少なくとも１つのファイルセットに関する情報を、要求するクライアントに提供するステップと、
条件と条件が満たされる場合にファイルを格納する記憶プールを識別する１つのルールを受け取るステップと、
受け取ったルールに識別される記憶プールが複数のゾーンに含まれるかどうかを判定するステップと、
条件に規定されるファイルセットが受け取ったルールに識別される記憶プールを含む１つのゾーンに含まれていないという判定に応答して、受け取ったルールを拒絶するステップという
複数のオペレーションを実行するプログラムとを有する
前記システム。
【請求項１２】
データ処理装置の操作を制御するプログラムコードを有する、ネットワークでクライアントおよび記憶プールと通信接続して実行されるコンピュータプログラムであって、
前記データ処理装置の操作が、少なくとも１つのゾーンに関するゾーン情報を維持するステップであって、各ゾーンが少なくとも１つのクライアントシステムと名前空間の複数のファイルセットの少なくとも１つのファイルセットと少なくとも１つの記憶プールとを対応付け、各ゾーンに関して、対応付けした少なくとも１つのファイルセットと少なくとも１つの記憶プールが前記ゾーンに対応付けられた少なくとも１つのクライアントシステムからアクセス可能である、前記維持するステップと、
前記名前空間のクライアントからアクセス可能なファイルセットについて１つのクライアントから要求を受け取るステップと、
少なくとも１つのファイルセットと少なくとも１つの記憶プールとが対応付けられてる少なくとも１つのゾーンにおけるゾーン情報から、要求するクライアントを判定するステップと、
クライアントに対応付けられているものと判定された少なくとも１つのゾーンに指示される前記少なくとも１つのファイルセットに関する情報を、要求するクライアントに提供するステップと、
条件と条件が満たされる場合にファイルを格納する記憶プールを識別する１つのルールを受け取るステップと、
受け取ったルールに識別される記憶プールが複数のゾーンに含まれるかどうかを判定するステップと、
条件に規定されるファイルセットが受け取ったルールに識別される記憶プールを含む１つのゾーンに含まれていないという判定に応答して、受け取ったルールを拒絶するステップとが実行される
前記コンピュータプログラム。